(57)【要約】【課題】  放電セルを画定する隔壁形成後に、スクリーン印刷法で隔壁の内面に蛍光体層を形成する時、隔壁の崩れ現象を防止できるプラズマ表示パネルを提供する。【解決手段】  所定間隔を維持しながら互いに対向配置される第１基板（１０）及び第２基板（２０）と、第１基板と第２基板との間に配置されて、画像を表示する表示領域（ＡＡ）と表示領域外郭の非表示領域（ＢＢ）で放電セルを形成する隔壁（１１６）と、放電セルの内面に形成される蛍光体層（１９）と、第１基板と前記第２基板との間で第１方向に伸張して形成されるアドレス電極（１２）と、第１基板と第２基板との間で前記アドレス電極と交差する第２方向に伸張されながら各放電セルに対に配置される第１電極と第２電極を含み、表示領域に形成される隔壁の線幅と、非表示領域に形成される隔壁の線幅を広く形成した。【選択図】            図２
2006156342.tif 000002
【特許請求の範囲】
【請求項１】
所定間隔を維持しながら互いに対向して配置される第１基板及び第２基板と、
前記第１基板と前記第２基板との間に形成され画像を表示する表示領域及び前記表示領域外郭より外側で画像を表示しない非表示領域で放電セルを画定する隔壁と、
前記放電セルの内側の表面に形成される蛍光体層と、
前記第１基板と前記第２基板との間で第１の方向に伸長して形成されるアドレス電極と、
前記第１基板と前記第２基板との間で前記第１の方向と交差する第２の方向に伸長して前記放電セルの上側に形成される一対の第１電極及び第２電極と、を含み、
前記表示領域に形成される前記隔壁の線幅と前記非表示領域に形成される前記隔壁の線幅とを互いに異なる線幅に形成したことを特徴とするプラズマ表示パネル。
【請求項２】
前記隔壁は、
前記表示領域では狭い線幅で形成された狭幅隔壁と、
前記非表示領域では前記狭幅隔壁よりも広い線幅で形成された広幅隔壁と、
を含むことを特徴とする請求項１に記載のプラズマ表示パネル。
【請求項３】
前記第１基板及び前記第２基板は、短辺と長辺とを有する長方形状を有し、
前記非表示領域は、前記短辺に沿うように所定の幅を有して伸長されている短辺側非表示領域及び前記長辺に沿うように所定の幅を有して伸長されている長辺側非表示領域を有し、
前記短辺側非表示領域及び前記長辺側非表示領域に位置する隔壁は、前記広幅隔壁であることを特徴とする請求項２に記載のプラズマ表示パネル。
【請求項４】
前記非表示領域に形成される広幅隔壁及び前記表示領域に形成される狭幅隔壁は、前記第１の方向に伸長され相互に連結して形成されることを特徴とする請求項３に記載のプラズマ表示パネル。
【請求項５】
前記隔壁は、前記第１の方向に伸張して形成され、前記第２の方向に前記放電セルに対応する間隔で連続的に配置される複数の隔壁部材を含むことを特徴とする請求項１に記載のプラズマ表示パネル。
【請求項６】
前記隔壁部材は、
前記表示領域では狭い線幅で形成された狭幅隔壁と、
前記非表示領域では前記狭幅隔壁よりも広い線幅で形成された広幅隔壁と、
を含むことを特徴とする請求項５に記載のプラズマ表示パネル。
【請求項７】
前記第１基板及び前記第２基板は、短辺と長辺とを有する長方形状を有し、
前記非表示領域は、前記短辺に沿うように所定の幅を有して伸長されている短辺側非表示領域及び前記長辺に沿うように所定の幅を有して伸長されている長辺側非表示領域を有し、
前記表示領域は、前記短辺側非表示領域及び前記長辺側非表示領域に囲まれるように位置し、
前記表示領域に位置する隔壁部材は、前記第１の方向に伸長して形成され、
前記短辺側非表示領域及び前記長辺側非表示領域に位置する隔壁部材は、前記第１の方向に伸長して形成される前記広幅隔壁であることを特徴とする請求項６に記載のプラズマ表示パネル。
【請求項８】
前記長辺側非表示領域に形成される前記広幅隔壁及び前記表示領域に形成される前記狭幅隔壁は、相互に連結されて形成されることを特徴とする請求項７に記載のプラズマ表示パネル。
【請求項９】
前記隔壁は、前記第１の方向に沿って伸張して形成され、前記第２の方向に沿って前記放電セルに対応する間隔で連続的に配置される複数の第１隔壁部材と、
前記第１隔壁部材と交差する前記第２の方向に沿って伸張して形成され、前記第１の方向に沿って前記放電セルに対応する間隔で連続的に配置される複数の第２隔壁部材と、を含むことを特徴とする請求項１に記載のプラズマ表示パネル。
【請求項１０】
前記第１隔壁部材及び前記第２隔壁部材は、
前記表示領域では狭い線幅に形成される狭幅隔壁と、
前記非表示領域では前記狭幅隔壁よりも広い線幅に形成される広幅隔壁と、を含むことを特徴とする請求項９に記載のプラズマ表示パネル。
【請求項１１】
前記第１基板及び前記第２基板は、短辺と長辺とを有する長方形状を有し、
前記非表示領域は、前記短辺に沿って所定の幅を有して伸長される短辺側非表示領域及び前記長辺に沿って所定の幅を有して伸長される長辺側非表示領域を有し、
前記表示領域は、前記短辺側非表示及び前記長辺側非表示領域に囲まれるように配置され、
前記短辺側非表示領域に位置する前記第１隔壁部材及び前記第２隔壁部材は、前記広幅隔壁で形成されることを特徴とする請求項１０に記載のプラズマ表示パネル。
【請求項１２】
前記非表示領域に形成される前記広幅隔壁及び前記表示領域に形成される前記狭幅隔壁を有する前記第１隔壁部材は前記第１の方向に沿って相互に連結されて形成され、
前記非表示領域に形成される前記広幅隔壁及び前記表示領域に形成される前記狭幅隔壁を有する前記第２隔壁部材は前記第２の方向に沿って相互に連結されて形成され、
前記第１隔壁部材及び前記第２隔壁部材は、前記放電セルをマトリックス形に画定することを特徴とする請求項１１に記載のプラズマ表示パネル。
【請求項１３】
前記表示領域に形成される前記隔壁の線幅（ｎ）に対する前記非表示領域に形成される前記隔壁の線幅（ｗ）の比（ｗ／ｎ）は、１より大きく形成されることを特徴とする請求項１に記載のプラズマ表示パネル。
【請求項１４】
表示領域の外周に隣接する非表示領域の放電セルを画定する隔壁の線幅は、表示領域内の最も外側の放電セルを画定する隔壁の線幅よりも広く形成され、前記非表示領域の最も内側に形成される放電セルよりも外側の放電セルを画定する隔壁の線幅は、前記非表示領域の最も内側に形成される放電セルを画定する隔壁の線幅よりも更に広く形成されたことを特徴とするプラズマ表示パネル。
【発明の詳細な説明】
【技術分野】
【０００１】
本発明は、プラズマ表示パネル（以下、“ＰＤＰ”という）に関し、特に、隔壁形成後、蛍光体印刷時に隔壁の崩れ現象を効果的に軽減できるプラズマ表示パネルに関するものである。
【背景技術】
【０００２】
一般にＰＤＰは、ガス放電現象を利用して画像を表示する装置であって、表示容量、輝度、コントラスト、残像、及び視野角などに優れた表示能力を有している。
【０００３】
このＰＤＰは、隔壁を挟んで前面基板と背面基板とを相互に密着して形成される。前面基板は、表示電極を備える。背面基板は、アドレス電極、隔壁、及び蛍光体層を備える。この隔壁は、放電セルを画定するために形成され、この放電セル内には、放電ガスが充填されている。
【０００４】
隔壁は前面基板と背面基板との間に位置され、サンドブラスト法によって形成することができる。蛍光体層は、印刷法によって隔壁内に形成することができる。
【０００５】
印刷法は、背面基板に隔壁を形成した後、隔壁上にスクリーンマスクを配置し、このスクリーンマスク上で蛍光体ペーストにスキージ圧（搾り出し圧力）を加え、スクリーンマスクを通過する蛍光体ペーストを隔壁の内側の面に塗布するというものである。このような印刷法の手順で蛍光体層が印刷される。
【０００６】
従来型ＰＤＰでは、放電セルを画定する隔壁は、映像を表示する表示領域だけでなく、映像を表示しない非表示領域にも形成される。この二つの領域に形成される隔壁は、同じ線幅を有する。
【０００７】
ＰＤＰを製造する時には、騷音防止、排気工程での汚染防止、また焼成工程での隔壁収縮現象の発生防止を目的として、最外郭部に位置する隔壁は他の部分に位置する隔壁に比べてより広い線幅に形成している。
【０００８】
高精細ＰＤＰの場合は、単位放電セルの寸法が次第に小さくなるにしたがって、隔壁の線幅もまた次第に狭くなる傾向にある。蛍光体を隔壁にスクリーン印刷する時は、線幅が狭い隔壁はスキージ圧を集中的に受けることになるので、内部応力が過大になって破損しやすい。
【０００９】
特に、ＰＤＰの周縁部分に位置する線幅が狭い隔壁は、周縁部分以外の部分に位置する同じ線幅の隔壁に比べて、さらに集中的なスキージ圧を受ける。
【００１０】
したがって、蛍光体層形成時には、ＰＤＰの周縁部分に位置する線幅が狭い隔壁での隔壁の崩れ現象が発生し易いという問題点がある。
【発明の開示】
【発明が解決しようとする課題】
【００１１】
本発明の目的は、上記問題点を解決するため、隔壁形成後スクリーン印刷法で隔壁の内面に蛍光体層を形成する時に、隔壁の崩れ現象を軽減できるプラズマ表示パネルを提供することにある。
【課題を解決するための手段】
【００１２】
本発明の目的を達成するために本発明は次のように構成される。
【００１３】
所定間隔を維持しながら互いに対向して配置される第１基板及び第２基板と、前記第１基板と前記第２基板との間に配置され画像が表示される表示領域及び前記表示領域外郭に隣接する画像が表示されない非表示領域で放電セルを形成する隔壁と、前記放電セルの内側の表面に形成される蛍光体層と、前記第１基板と前記第２基板との間で第１の方向に伸長して形成されるアドレス電極と、前記第１基板と前記第２基板との間で前記第１の方向と交差する第２の方向に伸長して前記放電セルの上側に形成される一対の配置される第１電極と第２電極とを含み、前記表示領域に形成される隔壁の線幅と、前記非表示領域に形成される隔壁の線幅は、互いに異なる寸法に形成される。
【００１４】
前記隔壁は、前記非表示領域に形成される隔壁の線幅が、前記表示領域に形成される隔壁の線幅より広いことが望ましい。  前記第１基板及び前記第２基板は、短辺と長辺とを有する長方形状を有し、前記非表示領域は、短辺に沿って所定の幅を有して伸長される短辺側非表示領域及び長辺に沿って所定の幅を有して伸長される長辺側非表示領域を有し、前記表示領域は、前記短辺側非表示領域及び前記長辺側非表示領域に囲まれるように位置し、前記短辺側非表示領域に位置する前記第１隔壁部材及び前記第２隔壁部材は、前記広幅隔壁で形成される。  前記非表示領域に形成される広幅隔壁及び前記表示領域に形成される狭幅隔壁は、前記第１の方向に沿って伸長され相互に連結して形成される。
【００１５】
前記隔壁は、第１方向に沿って伸張して形成され、前記第２方向に沿って前記放電セルに対応する間隔に連続的に配置される複数の隔壁部材を含むことができる。この場合、前記放電セルは帯状構造を形成できる。
【００１６】
また、前記隔壁は、第１方向に沿って伸張して形成され、前記第２方向に沿って前記放電セルに対応する間隔で連続的に配置される第１隔壁部材と、前記第１隔壁部材と交差する方向に沿って伸張して形成され、前記第１方向に沿って前記放電セルに対応する間隔で連続的に配置される第２隔壁部材を含むことができる。この場合、放電セルはマトリックス状構造を形成できる。
【００１７】
前記表示領域に形成される隔壁の線幅（ｎ）に対する前記非表示領域に形成される隔壁の線幅（ｗ）の比（ｗ／ｎ）は、１より大きく形成される。
【発明の効果】
【００１８】
以上のように構成された本発明のＰＤＰによれば、表示領域に形成される隔壁の線幅より非表示領域に形成される隔壁の線幅をさらに広く形成することによって、背面基板に高精細の隔壁を形成した後、印刷法で隔壁内面に蛍光体層を形成する場合に、非表示領域の隔壁崩れが軽減できるという効果がある。
【発明を実施するための最良の形態】
【００１９】
以下、添付した図面を参照して、本発明の好ましい実施形態について当業者が容易に実施することができるように詳細に説明する。しかしながら、本発明は多様に異なる形態で実現できるので、ここで説明する実施形態に限定されるものではない。図面で本発明を明確に説明するために説明上不要な部分は省略し、明細書全体にわたって同一または類似の構成要素については同一の参照符号を付けるものとする。
【００２０】
実施形態１
図１は、本発明の第１実施形態によるプラズマ表示パネルの平面図であり、図２は図１の一部分を拡大して示した分離斜視図である。
【００２１】
図１を参照すれば、本発明の第１実施形態によるＰＤＰは、基本的に所定の間隔に対向配置される第１基板（以下、“背面基板”という）１０と第２基板（以下、“前面基板”という）２０と、この背面基板１０と前面基板２０との間に備わる隔壁１１６と、を含む。この隔壁１１６は、放電セル１１８を画定してするために形成される。
【００２２】
放電セル１１８内には、真空紫外線を吸収して可視光を放出する蛍光体層１９が形成されている。また、放電セル１１８内には、プラズマ放電で真空紫外線を発生させることができるように放電ガス（例えば、キセノン（Ｘｅ）とネオン（Ｎｅ）などを含む混合ガス）が充填されている。
【００２３】
図２を参照すれば、背面基板１０と前面基板２０との間には、放電セル１１８のそれぞれに対応するアドレス電極１２と第１電極１３１（以下、“維持電極”という）及び第２電極１３２（以下、“走査電極”という）とが備えられている。
【００２４】
アドレス電極１２、維持電極１３１、及び走査電極１３２は、多様な構造で形成され、また多様な位置に配置させことができる。すなわち、アドレス電極１２、維持電極１３１、及び走査電極１３２は、背面基板１０と前面基板２０との間に形成され、背面基板１０及び前面基板２０のいずれか一側に形成したり、両側に形成したりすることができる。
【００２５】
本実施形態は、放電セル１１８を挟んで、背面基板１０側にアドレス電極１２を備え、前面基板２０側に維持電極１３１と走査電極１３２とを備える。
【００２６】
アドレス電極１２は、背面基板１０と前面基板２０との間の背面基板１０上で第１方向（ｙ軸方向）に沿って伸張して形成される。複数のアドレス電極１２は、第２方向（ｘ軸方向）に沿って各放電セル１１８に対応させて所定の間隔で横並びに配置される。
【００２７】
アドレス電極１２は誘電層１３で覆われる。誘電層１３は、放電時に壁電荷を形成して蓄積し、放電からアドレス電極１２を保護するものである。
【００２８】
また、維持電極１３１と走査電極１３２は、前面基板２０上でアドレス電極１２と交差する第２方向（ｘ軸方向）に沿ってそれぞれ伸張して形成され、各放電セル１１８を挟んで面放電を起こすことができるように放電セル１１８のｙ軸方向に対なって配置される。
【００２９】
走査電極１３２とアドレス電極１２は、ｚ軸方向に離隔した状態を維持しながらｘ−ｙ平面上で相互交差する。アドレス放電期間で、走査電極１３２とアドレス電極１２にそれぞれの信号電圧を印加すれば、発光させたい放電セル１１８が選択できる。
【００３０】
アドレス放電期間に繋がる維持放電期間で、維持電極１３１と走査電極１３２にそれぞれの信号電圧を印加すれば、アドレス放電期間で選択された放電セル１１８が画像を表示する。
【００３１】
維持電極１３１と走査電極１３２は、維持放電時に壁電荷を形成し蓄積するため、誘電層１４で覆われる。また、誘電層１４は、保護膜１５で覆われる。
【００３２】
保護膜１５は、可視光を透過させる透明材で形成され、例えば、ＭｇＯの材料を用いて形成することができる。保護膜１５は、プラズマ放電から誘電層１４を保護し、プラズマ放電時に二次電子放出係数を増大させる。
【００３３】
隔壁１１６は、背面基板１０に隣接して前面基板２０に向けて向いて突出形成され、放電セル１１８を複数に画定する。放電セル１１８は、アドレス電極１２と走査電極１３２との間のアドレス放電によって選択され、選択された放電セル１１８は維持電極１３１と走査電極１３２との間の維持放電によって画像を表示する。
【００３４】
このように隔壁１１６は、画像を表示する表示領域ＡＡと、この表示領域ＡＡの外郭に形成されて画像を表示しない非表示領域ＢＢで、放電セル１１８を形成する。
【００３５】
ＰＤＰ製造工程上、蛍光体層１９は隔壁１１６上に形成され、隔壁１１６を構成する。誘電層１３が形成されている場合、蛍光体層１９は、隔壁１１６の内側面及び隔壁１１６に囲まれる誘電層１３の表面に形成される。
【００３６】
隔壁１１６及び蛍光体層１９の形成方法には多様な方法がある。その一例を挙げれば、サンドブラスト法で隔壁１１６を形成し、印刷法で蛍光体層１９を形成するものである。
【００３７】
しかしながら、いかなる方法を選択しても、ＰＤＰ製造工程上、隔壁１１６に蛍光体層１９を形成するので、隔壁１１６は蛍光体層１９を形成するための作用力を受ける。
【００３８】
印刷法は、背面基板１０に形成された隔壁１１６上にスクリーンマスク（図示せず）を配置し、このスクリーンマスク上で蛍光体ペーストにスキージ圧を加えて、スクリーンマスクを通過する蛍光体ペーストを隔壁１１６の内面に印刷して、蛍光体層１９を形成するため、隔壁１１６はスキージ圧を受ける。
【００３９】
高精細のＰＤＰでは、通常、隔壁１１６は、より多くの放電セル１１８を形成するため、その線幅は狭く形成される。高精細のＰＤＰでは、隔壁１１６の線幅は、６０μｍに未満になる。すなわち、隔壁１１６は蛍光体層１９の形成のための作用力について脆弱な構造を有する。
【００４０】
したがって、本実施形態におけるＰＤＰでは、蛍光体層１９の形成するための作用力に対して強度（耐力）高めるために、以下のように隔壁１１６が形成される。
【００４１】
図１及び図２を再び参照すれば、背面基板１０と前面基板２０は２つの短辺（ｘ方向両側）と２つの長辺（ｙ方向両側）とを有する長方形状を有し、表示領域ＡＡは中央部に形成され、非表示領域ＢＢはこの表示領域ＡＡの外郭部に形成される。非表示領域ＢＢは、２つの短辺側に位置する短辺側非表示領域ＢＢ１、ＢＢ２と２つの長辺側に位置する長辺側非表示領域ＢＢ３、ＢＢ４とを有する。便宜上、図２では非表示領域ＢＢと示しており、図１ではそれぞれの位置によって区分して、非表示領域ＢＢ１、ＢＢ２、ＢＢ３、ＢＢ４と示している。
【００４２】
隔壁１１６は、広幅隔壁１１６ａｗまたは広幅隔壁１１６ａｗ及び狭幅隔壁１１６ａｎを有し、アドレス電極１２の伸張方向（ｙ軸方向）に沿ってそれぞれ伸張され、ｘ軸方向に沿って所定の間隔で配置される放電セル１１８にそれぞれ対応する間隔で複数の隔壁部材１１６ａを含む。
【００４３】
具体的には、表示領域ＡＡ及び非表示領域ＢＢを横切るように形成される隔壁部材１１６ａは、表示領域ＡＡで狭い線幅で形成される狭幅（ｎ）隔壁１１６ａｎ及び非表示領域ＢＢで狭幅隔壁１１６ａｎより広い線幅で形成される広幅（ｗ）隔壁１１６ａｗを有し、これらを相互に連結して形成される。また、非表示領域ＢＢのみに形成される隔壁部材１１６ａは、短辺側非表示領域ＢＢ１、ＢＢ２において広幅隔壁１１６ａｗで形成される。
【００４４】
図３及び図４は、それぞれ図２のＩＩＩ−ＩＩＩ線断面図及びＩＶ−ＩＶ線断面図である。
【００４５】
図３及び図４に示すように、本実施形態におけるＰＤＰは、画像を表示する表示領域ＡＡに形成される隔壁１１６の線幅を狭幅に形成し、表示領域ＡＡの外郭に位置する非表示領域ＢＢに形成される隔壁１１６の線幅を広幅に形成する。
【００４６】
したがって、表示領域ＡＡに形成される隔壁１１６の線幅（ｎ）に対する非表示領域ＢＢに形成される隔壁１１６の線幅（ｗ）の比（ｗ／ｎ）は１より大きくなる。
【００４７】
ここで、本実施形態の隔壁１１６で広幅の線幅は、通常の６０μｍ以上の線幅を意味し、狭幅の線幅はこの広幅の線幅よりさらに狭い６０μｍ未満の線幅を意味する。また、広幅及び狭幅は、このような絶対値に限られるものではなく、異なる線幅の相対的な値を意味する。
【００４８】
なお、広幅隔壁１１６ａｗと狭幅隔壁１１６ａｎの構成及び配置は隔壁１１６によって形成される放電セル１１８の形状に関係なく適用することができる。
【００４９】
このように、本実施形態のＰＤＰは、画像を実現する部分（表示領域ＡＡ）の隔壁１１６の線幅と、画像を実現しない部分（非表示領域ＢＢ）の隔壁１１６の線幅を互いに異なる寸法に形成することにより、蛍光体層１９の形成時における作用力、例えば、スキージ圧に対して優れた強度（耐力）を有するようになる。すなわち、隔壁１１６は、蛍光体層１９の形成する場合に崩れる現象を防止し、結果的に、本実施形態によるＰＤＰは、高精細の画像を実現することができる。
【００５０】
図５〜図８は、本発明に係る他の実施形態であって、その全体的な構成及び作用効果は第１実施形態と類似している。以下では、第１実施形態と同様の構成及び作用効果の点は省略し、異なる点について説明する。
【００５１】
また、広幅隔壁は、第１実施形態の広幅隔壁１１６ａｗと下記の第２実施形態の広幅隔壁２１６ａｗ、２１６ｂｗとを含む意味として使用され、狭幅隔壁は第１実施形態の狭幅隔壁１１６ａｎと第２実施形態の狭幅隔壁２１６ａｎ、２１６ｂｎとを含む意味として使用される。したがって、引用符号は必要に応じて適切に引用されている。
【００５２】
以下、放電セル１１８を帯状に形成する前記の隔壁１１６と、放電セル２１８をマトリックス状に形成する隔壁２１６を例示（実施形態２、実施形態３）する。
【００５３】
実施形態２
図５から図８は、本発明の他の実施形態２、３における放電セルをマトリックス状に形成する場合を示したものである。図５は、第２実施形態によるプラズマ表示パネルの平面図であり、図６は、図５の一部分を拡大して示した分離斜視図である。
【００５４】
図５及び図６に示すように、隔壁２１６は、第１隔壁部材２１６ａと第２隔壁部材２１６ｂとを含んで形成される。
【００５５】
第１隔壁部材２１６ａは、ｙ軸方向に沿ってそれぞれ伸張して形成され、ｘ軸方向に沿って放電セル２１８に対応する間隔に配置される。第２隔壁部材２１６ｂは、第１隔壁部材２１６ａと交差する方向に沿ってそれぞれ伸張して形成され、ｙ軸方向に沿って放電セル２１８に対応する間隔に配置される。
【００５６】
第１隔壁部材２１６ａと第２隔壁部材２１６ｂは、表示領域ＡＡで狭い線幅に形成される狭幅隔壁２１６ａｎ、２１６ｂｎと非表示領域ＢＢで狭幅隔壁２１６ａｎ、２１６ｂｎより広い線幅に形成される広幅隔壁２１６ａｗ、２１６ｂｗとを含む。
【００５７】
広幅隔壁２１６ａｗ、２１６ｂｗは、非表示領域ＢＢ１、ＢＢ２、ＢＢ３、ＢＢ４に形成され、狭幅隔壁２１６ａｎ、２１６ｂｎは、表示領域ＡＡに形成される。
【００５８】
表示領域ＡＡ及び非表示領域ＢＢを横切るように形成される第１隔壁部材２１６ａは、表示領域ＡＡに形成される狭幅隔壁２１６ａｎ及び長辺側非表示領域ＢＢ３、ＢＢ４に形成される広幅隔壁２１６ａｗを有し、これらを相互に連結して形成される。また、非表示領域ＢＢ３、ＢＢ４のみに形成される第１隔壁部材２１６ａは、広幅隔壁２１６ａｗで形成される。
【００５９】
また、表示領域ＡＡ及び非表示領域ＢＢを横切るように形成される第２隔壁部材２１６ｂは、表示領域ＡＡに形成される狭幅隔壁２１６ｂｎ及び短辺側非表示領域ＢＢ１、ＢＢ２に形成される広幅隔壁２１６ｂｗを有し、これらを相互に連結して形成される。また、短辺側非表示領域ＢＢ１、ＢＢ２のみに形成される第２隔壁部材２１６ｂは、広幅隔壁２１６ｂｗで形成される。
【００６０】
図７及び図８は、それぞれ図６のＶＩＩ−ＶＩＩ線断面図及びＶＩＩＩ−ＶＩＩＩ線断面図である。
【００６１】
図７及び図８に示すように、第１実施形態と同様に画像を表示する表示領域ＡＡに形成される隔壁２１６の線幅を狭幅に形成し、表示領域ＡＡの外郭に位置する非表示領域ＢＢに形成される隔壁１１６の線幅を広幅に形成している。
【００６２】
第２実施形態の隔壁２１６は、ｙ軸方向に沿った第１隔壁部材２１６ａのみならず第２隔壁部材２１６ｂをさらに有したマトリックス状に形成されるので、第１実施形態でのｙ軸方向に沿った隔壁部材１１６ａのみを有する隔壁１１６に比べて、蛍光体層１９の形成時における作用力に対してより優れた強度（耐力）を有するので、隔壁が崩れる現象をより効果的に防止できる。
【００６３】
また、第１実施形態では維持電極１３１と走査電極１３２とをｘ軸方向に長く形成したのに対し、第２実施形態では、維持電極２３１と走査電極２３２とをｘ軸方向沿って形成しながら放電セル２１８に対応してｙ軸方向に沿って突き出されるように形成する。
【００６４】
実施形態３
実施形態１及び２では、表示領域ＡＡまたは非表示領域ＢＢの各領域において、領域毎に全放電セルの形状・寸法が均一である例について説明した。本実施形態では、表示領域ＡＡと非表示領域ＢＢの領域毎に、放電セルの形状・寸法が異なる実施形態について説明する。
【００６５】
非表示領域ＢＢでは、表示領域ＡＡに隣接する放電セルを画定する隔壁の幅が、表示領域ＡＡ内の最も外側の放電セルを画定する隔壁の幅よりも広く形成される。
【００６６】
さらに、表示領域ＡＡ内の最も外側の放電セルと隣接する放電セルにある放電セルよりも外側の放電セルを画定する隔壁の幅を更に広く形成することもできる。
【００６７】
このような構造にすると、スキージブレード（刃）が非表示領域ＢＢから表示領域ＡＡに侵入する場合に、ブレードのねじりなどによる変形の影響を緩和することが容易になり、表示領域ＡＡの最も外側の放電セルの蛍光体塗布のムラを軽減できる。なお、スキージブレードが上記のように動作することは、長方形状の表示領域の最外周４辺のうち、１辺に過ぎないが、画質が向上する効果があり、特に、長方形状の放電セルの場合にその効果が顕著になる。
【００６８】
以上、本発明の好ましい実施形態について説明したが、本発明はこれに限定されるものではなく、特許請求の範囲と発明の詳細な説明及び添付した図面の範囲内で多様に変形して実施するのが可能であり、これも本発明の技術的範囲に属することは当然である。
【産業上の利用可能性】
【００６９】
本発明は、プラズマ表示パネルに関連した技術分野に適用可能である。
【図面の簡単な説明】
【００７０】
【図１】第１実施形態によるプラズマ表示パネルの平面図である。
【図２】図１の一部分を分解して拡大した斜視図である。
【図３】図２のＩＩＩ−ＩＩＩ線断面図である。
【図４】図２のＩＶ−ＩＶ線断面図である。
【図５】第２実施形態によるプラズマ表示パネルの平面図である。
【図６】図５の一部分を分解して拡大示した斜視図である。
【図７】図６のＶＩＩ−ＶＩＩ線断面図である。
【図８】図６のＶＩＩＩ−ＶＩＩＩ線断面図である。
【符号の説明】
【００７１】
１０    背面基板、
１２    アドレス電極、
１３，１４    誘電層、
１５    保護膜、
１９    蛍光体層、
２０    前面基板、
１１６    隔壁、
１１６ａ，２１６ａ    第１隔壁部材、
１１６ａｎ，２１６ａｎ，２１６ｂｎ    狭幅隔壁、
１１６ａｗ，２１６ａｗ，２１６ｂｗ    広幅隔壁、
１１６ｂ，２１６ｂ    第２隔壁部材、
１１８    放電セル、
１３１    維持電極、
１３２    走査電極、
ＡＡ    表示領域、
ＢＢ、ＢＢ１，ＢＢ２，ＢＢ３，ＢＢ４    非表示領域。
【図１】
2006156342.tif 000003
【図２】
2006156342.tif 000004
【図３】
2006156342.tif 000005
【図４】
2006156342.tif 000006
【図５】
2006156342.tif 000007
【図６】
2006156342.tif 000008
【図７】
2006156342.tif 000009
【図８】
2006156342.tif 000010